(57)【要約】【課題】送風性能の高効率化と騒音の抑制を達成しながら、小型の送風機を提供する。【解決手段】スクロールケーシング４の外郭の内、舌部９と連続する第１外郭部１２ａのスクロール形状を一定半径でファン径と同心円で形成され、前記第１外郭部１２ａに連続するとともに下流側に位置する第２外郭部１２ｂに所定の拡大角を設けて、前記第２外郭部１２ｂの拡大開始点を本体送風機の最下端方向から始めることにより、第１外郭部１２ａでの半径が一定でファン径と同心円で形成されるため、スクロールケーシング４が小さくでき、第２外郭部の拡大開始点を本体送風機の最下端方向から始まるため、小型化が可能となる。【選択図】図１
2006233835.tif 000002
【特許請求の範囲】
【請求項１】
吸込口と吐出口を形成し、内部に多翼ファンを内蔵するスクロールケーシングを備え、前記スクロールケーシングの外郭の内、舌部と連続する第１外郭部のスクロール形状を一定半径かつファンと同心円で形成し、前記第１外郭部に連続するとともに下流側に位置する第２外郭部に所定の拡大角を設けて、前記第２外郭部の拡大開始点を本体送風機の最下端方向から始まることを特徴とする送風機。
【請求項２】
吸込口と吐出口を形成し、内部に多翼ファンを内蔵するスクロールケーシングを備え、前記スクロールケーシングの外郭の内、舌部と連続する第１外郭部のスクロール形状を一定半径かつファンと同心円で形成し、前記第１外郭部に連続するとともに下流側に位置する第２外郭部に所定の拡大角を設けて、前記第２外郭部の拡大開始点を本体送風機の最側端方向から始まることを特徴とする送風機。
【請求項３】
吸込口と吐出口を形成し、内部に多翼ファンを内蔵するスクロールケーシングを備え、前記スクロールケーシングの外郭の内、舌部と連続する第１外郭部のスクロール形状を一定半径かつファンと同心円で形成し、前記第１外郭部に連続するとともに下流側に位置する第２外郭部に所定の拡大角を設けて、前記第２外郭部の拡大開始点を本体送風機の最上端方向から始まることを特徴とする送風機。
【請求項４】
第１外郭部に連続するとともに下流側に位置する第２外郭部に段階的に大きくなる拡大角を設けたことを特徴とする請求項１から３のいずれか１項に記載の送風機。
【発明の詳細な説明】
【技術分野】
【０００１】
本発明は、空気調和機の室内機等に使用される送風機に関するものである。
【背景技術】
【０００２】
従来より、この種の送風機には、高効率化とそれから発生する騒音の抑制が求められ、その構成は、図５から図７に示されるものが一般的であった。
【０００３】
以下、その構成について同図を参照しながら説明する。
【０００４】
図に示されるように、送風機は、空気調和機の室内機等の機器本体１の内部に設けられた仕切り板２に取り付け具５によって装着したファンモーター６と、ファンモーター６の両軸に固着された多翼ファン３と、その多翼ファン３を覆うスクロールケーシング４で形成されていた。そして、ファンモーター６の運転により多翼ファン３を回転させ、吸込口７より吸い込んだ空気を吐出口８より送り出していた。
【０００５】
スクロールケーシング４の形状は、高効率化と騒音抑制のために、図７に示すように舌部９と連続する外郭部１０に一定の拡大角を設け、多翼ファン３の中心１１からの距離ａを連続的に大きくすることで、スクロールケーシング４の内部の体積を徐々に大きくし、風量を増大させるようにしていた（例えば、特許文献１参照）。
【特許文献１】特開平９−３１０７００号公報
【発明の開示】
【発明が解決しようとする課題】
【０００６】
しかしながら、上記従来の構成では、舌部９の部分から、多翼ファン３の中心１１からの距離ａを連続的に大きくしていたので、スクロールケーシング４の高さｈ及び幅ｌが大きくなり、送風機並びにそれを取り付けた機器本体１の高さｂ及び幅ｃも大きくなってしまうという課題を有していた。
【０００７】
本発明はこのような従来の課題を解決するものであり、高効率で、騒音が抑制され、さらに小型の送風機を提供することを目的とするものである。
【課題を解決するための手段】
【０００８】
上記課題を解決するために、本発明の送風機は、スクロールケーシングの外郭の内、舌部と連続する第１外郭部のスクロール形状を一定半径かつファンと同心円で形成し、第１外郭部に連続するとともに下流側に位置する第２外郭部に所定の拡大角を設けて、前記第２外郭部の拡大開始点を本体送風機の最下端方向から始まる。
【０００９】
スクロールケーシングの外郭の内、舌部と連続する第１外郭部のスクロール形状を一定半径でファン径と同心円で形成され、前記第１外郭部に連続するとともに下流側に位置する第２外郭部に所定の拡大角を設けたもので、第１外郭部での半径が一定でファン径と同心円で形成されるため、スクロールケーシングが小さくでき、前記第２外郭部の拡大開始点を本体送風機の最下端方向から始まるため、送風機及びそれを収納する機器本体の高さも小さくすることができる。
【発明の効果】
【００１０】
本発明の送風機は、高効率で、騒音が抑制され、さらに小型の送風機を得ることができる。
【発明を実施するための最良の形態】
【００１１】
第１の発明は、スクロールケーシングの外郭の内、舌部と連続する第１外郭部のスクロール形状を一定半径でファン径と同心円で形成され、前記第１外郭部に連続するとともに下流側に位置する第２外郭部に所定の拡大角を設けたもので、第１外郭部での半径が一定でファン径と同心円で形成されるため、スクロールケーシングが小さくでき、前記第２外郭部の拡大開始点を本体送風機の最下端方向から始まるため、送風機及びそれを収納する機器本体の高さも小さくすることができる。
【００１２】
また、同じスクロール幅（同じ本体高さ）において、ファン径を大きくする事ができる。これにより、風量性能の向上、低騒音化が図れる。
【００１３】
第２の発明は、スクロールケーシングの外郭の内、舌部と連続する第１外郭部のスクロール形状を一定半径かつファンと同心円で形成し、前記第１外郭部に連続するとともに下流側に位置する第２外郭部に所定の拡大角を設けて、前記第２外郭部の拡大開始点を本体送風機の最側端方向から始まることにした。これにより、スクロールケーシングにおいて、舌部と連続する第１外郭部のスクロール形状を一定半径でファン径と同心円で形成され、第１外郭部に連続するとともに下流側に位置する第２外郭部に所定の拡大角を設けたもので、第１外郭部での半径が一定でファン径と同心円で形成されるため、スクロールケーシングが小さくでき、前記第２外郭部の拡大開始点を本体送風機の最下端方向から始まるため、送風機及びそれを収納する機器本体の高さ及び横幅を小さくすることができる。
【００１４】
また、同じスクロール縦幅及び横幅（同じ本体高さ及び奥行き）において、ファン径を大きくする事ができる。これにより、風量性能の向上、低騒音化が図れる。
【００１５】
第３の発明は、スクロールケーシングの外郭の内、舌部と連続する第１外郭部のスクロール形状を一定半径かつファンと同心円で形成し、前記第１外郭部に連続するとともに下流側に位置する第２外郭部に所定の拡大角を設けて、前記第２外郭部の拡大開始点を本体送風機の最上端方向から始まることにした。これにより、スクロールケーシングにおいて、舌部と連続する第１外郭部のスクロール形状を一定半径でファン径と同心円で形成され、第１外郭部に連続するとともに下流側に位置する第２外郭部に所定の拡大角を設けたもので、第１外郭部での半径が一定でファン径と同心円で形成されるため、スクロールケーシングが小さくできる。前記第２外郭部の拡大開始点を本体送風機の最上端方向から始まるため、送風機及びそれを収納する機器本体の高さ及び横幅を小さくすることができる。特に、本体の高さサイズについては、最下端と最上端の両者でコンパクト化の効果がなされ、大きく減少することになる。
【００１６】
第４の発明は、第１外郭部に連続するとともに下流側に位置する第２外郭部に段階的に大きくなる拡大角を設けたもので、段階的に大きくなる拡大角を有するスクロールケーシングにより、風量性能の向上が図れる。
【００１７】
（実施の形態１）
以下に、本発明の第１の実施の形態について図１を用いて説明する。なお、上記従来の構成要素と同一部分については、同一符号、名称を用いて、その説明を省略する。
【００１８】
図１は本実施の形態１の送風機を取り付けた機器の断面を示す図で、スクロールケーシング４内の舌部９と連続する第１外郭部１２ａを一定半径で形成し、多翼ファン３と同心円状に配置して、前記第１外郭部１２ａの終点に連続するとともに下流側に形成された第２外郭部１２ｂに、所定の拡大角を設け、多翼ファン３の中心１１からの距離ａが連続的に大きくなっている。また、スクロールケーシング４の舌部９と連続する第１外郭部１２
ａの接合部Ｊ１として、連続する第１外郭部１２ａと第２外郭部１２ｂの接合部Ｊ２として、接合部Ｊ１とファンの距離Ｄ１、接合部Ｊ２とファン３の距離Ｄ２とした場合、Ｄ１＝Ｄ２となり、接合部Ｊ２が送風機を搭載した本体において、最下端を規定するスクロールの方向である。
【００１９】
従って、スクロールケーシング４の高さはＨ１となり、従来の構成による高さｈより低くなる。また、送風機ならびにそれを取り付けた機器本体２０の高さＢ１は従来の構成による高さｂより低くなる。
【００２０】
スクロールケーシング４の舌部９近傍においては、スクロールケーシング４内部の圧力が低く、吸込口７から吸込む風量が少ないため、第１外郭部１２ａに拡大角を設けず、一定の半径で構成しても、送風機としての性能にはほとんど影響を与えることが無い。
【００２１】
以上のように、第１外郭部１２ａで拡大角を設けず、一定の半径で構成しても、送風機の性能にほとんど影響を与えず、ケーシング４の高さを低くする事ができる。従って、送風機を搭載した本体の高さサイズを減少させてコンパクト化することができる。
【００２２】
（実施の形態２）
以下に、本発明の第２の実施の形態について図２を用いて説明する。なお、上記従来の構成及び実施の形態１と同一部分については、同一符号、名称を用いて、その説明を省略する。
【００２３】
図２は本実施の形態２の送風機を取り付けた機器の断面を示す図で、スクロールケーシング４内の舌部９と連続する第１外郭部１２ａを一定半径で形成し、多翼ファン３と同心円状に配置して、前記第１外郭部１２ａの終点に連続するとともに下流側に形成された第２外郭部１２ｂに、所定の拡大角を設け、多翼ファン３の中心１１からの距離ａが連続的に大きくなっている。また、スクロールケーシング４の舌部９と連続する第１外郭部１２ａの接合部Ｊ１として、連続する第１外郭部１２ａと第２外郭部１２ｂの接合部Ｊ２として、接合部Ｊ１とファンの距離Ｄ１、接合部Ｊ２とファンの距離Ｄ２とした場合、Ｄ１＝Ｄ２となり、接合部Ｊ２が送風機を搭載した本体において、最側端を規定するスクロールの方向である。
【００２４】
従って、スクロールケーシング４の高さはＨ２、幅はＬ２となり、従来の構成による高さｈ及び幅ｌより低くなる。また、送風機ならびにそれを取り付けた機器本体２０の高さＢ２、幅はｃ２となり、従来の構成による高さｂ及び幅ｃより低くなる。
【００２５】
スクロールケーシング４の舌部９近傍においては、スクロールケーシング４内部の圧力が低く、吸込口７から吸込む風量が少ないため、第１外郭部１２ａに拡大角を設けず、一定の半径で構成しても、送風機としての性能には若干の劣化の傾向はるが、ほとんど影響を与えることが無い。
【００２６】
以上のように、第１外郭部１２ａで拡大角を設けず、一定の半径で構成しても、送風機の性能に若干の劣化の傾向はるが、ケーシング４の高さ及び幅を減少する事ができる。従って、送風機を搭載した本体の高さサイズ及び幅サイズを減少させてコンパクト化することができる。
【００２７】
（実施の形態３）
以下に、本発明の第３の実施の形態について図３を用いて説明する。なお、上記従来の構成及び実施の形態１と同一部分については、同一符号、名称を用いて、その説明を省略する。
【００２８】
図３は本実施の形態３の送風機を取り付けた機器の断面を示す図で、スクロールケーシング４内の舌部９と連続する第１外郭部１２ａを一定半径で形成し、多翼ファン３と同心円状に配置して、前記第１外郭部１２ａの終点に連続するとともに下流側に形成された第２外郭部１２ｂに、所定の拡大角を設け、多翼ファン３の中心１１からの距離ａが連続的に大きくなっている。また、スクロールケーシング４の舌部９と連続する第１外郭部１２ａの接合部Ｊ１として、連続する第１外郭部１２ａと第２外郭部１２ｂの接合部Ｊ２として、接合部Ｊ１とファンの距離Ｄ１、接合部Ｊ２とファンの距離Ｄ２とした場合、Ｄ１＝Ｄ２となり、接合部Ｊ２が送風機を搭載した本体において、最上端を規定するスクロールの方向である。
【００２９】
従って、スクロールケーシング４の高さはＨ３、幅はＬ３となり、従来の構成による高さｈ及び幅ｌより低くなる。また、送風機ならびにそれを取り付けた機器本体２０の高さＢ３、幅はｃ３となり、従来の構成による高さｂ及び幅ｃより低くなる。
【００３０】
以上のように、第１外郭部１２ａで拡大角を設けず、一定の半径で構成することにより、送風機の性能は劣化する傾向にある。しかし、最小限度の性能劣化でケーシング４の高さ及び幅を減少する事ができるため、送風機を搭載した本体の高さサイズ及び幅サイズを減少させてコンパクト化することができる。特に、本体の高さサイズについては、最下端と最上端の両者でコンパクト化の効果がなされ、大きく減少することになる。
【００３１】
（実施の形態４）
以下に、本発明の第４の実施の形態について図４を用いて説明する。なお、上記従来の構成及び実施の形態１と同一部分については、同一符号、名称を用いて、その説明を省略する。
【００３２】
図４は本実施の形態４の送風機を取り付けた機器の断面を示す図で、スクロールケーシング４内の舌部９と連続する第１外郭部１２ａを一定半径で形成し、多翼ファン３と同心円状に配置して、前記第１外郭部１２ａの終点に連続するとともに下流側に形成された第２外郭部１２ｂに、所定の拡大角を設け、多翼ファン３の中心１１からの距離ａが連続的に大きくなっている。また、スクロールケーシング４の舌部９と連続する第１外郭部１２ａの接合部Ｊ１として、連続する第１外郭部１２ａと第２外郭部１２ｂの接合部Ｊ２として、接合部Ｊ１とファンの距離Ｄ１、接合部Ｊ２とファンの距離Ｄ２とした場合、Ｄ１＝Ｄ２となり、接合部Ｊ２が送風機を搭載した本体において、最下端または最側端または最上端を規定するスクロールの方向である。
【００３３】
第２外郭部１２ｂに設ける拡大角を、第１外郭部１２ａと第２外郭部１２ｂの交点Ｊ２から連続的または段階的に大きくしていく。そうすれば、通常の場合よりも、さらにスクロールケーシング４を小さくすることができるので、それを収納する機器本体の高さも大幅に小さくすることができる。
【００３４】
また、拡大角を連続的または段階的に大きくしていくことにより、送風性能の向上にも繋がる。
【産業上の利用可能性】
【００３５】
以上のように、本発明にかかる送風機は、本体サイズのコンパクト化と送風性能の向上が可能となる空気調和機に搭載されているシロッコファン（多翼遠心ファン）及びその送風路構成に適用できる。
【図面の簡単な説明】
【００３６】
【図１】本発明の実施の形態１における送風機の断面図
【図２】本発明の実施の形態２における送風機の断面図
【図３】本発明の実施の形態３における送風機の断面図
【図４】本発明の実施の形態４における送風機の断面図
【図５】従来の送風機を取り付けた空気調和機の室内機の平面図
【図６】同室内機の断面図
【図７】同送風機の断面図
【符号の説明】
【００３７】
１  機器本体
３  多翼ファン
４  スクロールケーシング
６  ファンモーター
７  吸込口
８  吐出口
９  舌部
１０  外郭部
１１  多翼ファンの中心
１２ａ  第１外郭部
１２ｂ  第２外郭部
【図１】
2006233835.tif 000003
【図２】
2006233835.tif 000004
【図３】
2006233835.tif 000005
【図４】
2006233835.tif 000006
【図５】
2006233835.tif 000007
【図６】
2006233835.tif 000008
【図７】
2006233835.tif 000009